(57)【特許請求の範囲】
【請求項１】
被管理者に所持されて、所定間隔で前記被管理者を識別する識別情報を含む信号を発信する端末と、前記被管理者が居る居住空間内に固定又は移動可能に配置された、前記端末からの前記信号を受信すると共に前記受信した信号に基づいて所定の信号を送信する送受信端末装置と、前記送受信端末装置からの前記所定の信号に基づいた所定の情報をネットワークを介して受信する管理端末装置とを、備え、
前記端末から送信されるべき前記信号が前記送受信端末装置にて受信できなくなった場合、前記管理端末装置に対して、注意喚起情報を前記識別情報と共に前記所定の情報として送信する被管理者監視システムであって、
前記居住空間内の出入口と通じた廊下に固定された、前記端末からの前記信号を受信すると共に前記受信した信号に基づいて第２の所定の信号を送信する第２の送受信端末装置を備え、
（１）前記端末から送信されるべき前記信号が前記送受信端末装置にて受信できなくなった場合であって、且つ、前記第２の所定の信号を受信した場合において、前記双方の場合の前記識別情報が同一であれば、前記管理端末装置に対して、前記識別情報に対応する前記被管理者が前記廊下に居る旨の情報を前記所定の情報として送信し、
（２）前記端末から送信されるべき前記信号が前記送受信端末装置にて受信できなくなった場合であって、且つ、同一の前記識別情報についての前記第２の所定の信号を受信しない場合は、前記管理端末装置に対して、前記識別情報に対応する前記被管理者の所持する前記端末に異常が発生した旨の情報を前記所定の情報として送信する、ことを特徴とする被管理者監視システム。
【請求項２】
前記送受信端末装置は、前記居住空間内に固定されており、
前記端末から発信される前記信号の電波到達距離は調節可能であり、
前記電波到達距離は、前記端末を所持した前記被管理者が前記居住空間内において前記送受信端末装置から離れ得る距離の内、少なくとも最大距離に設定される、ことを特徴とする請求項１に記載の被管理者監視システム。
【請求項３】
前記送受信端末装置の固定位置は、前記居住空間内の天井の中央部、又は、前記居住空間内の出入口から最も離れた場所である、ことを特徴とする請求項２に記載の被管理者監視システム。
【請求項４】
前記送受信端末装置は、前記端末から受信した前記信号の電波の強度レベルを検知して、前記検知結果を前記所定の信号に含めて送信するものであり、
前記検知結果を加味した前記所定の情報を送信する、ことを特徴とする請求項１〜３の何れか一つに記載の被管理者監視システム。
【請求項５】
被管理者に所持されて、所定間隔で前記被管理者を識別する識別情報を含む信号を発信する端末と、前記被管理者が居る居住空間内に固定又は移動可能に配置された、前記端末からの前記信号を受信すると共に前記受信した信号に基づいて所定の信号を送信する送受信端末装置と、前記送受信端末装置からの前記所定の信号に基づいた所定の情報をネットワークを介して受信する管理端末装置とを、備えた被管理者監視システムにおける被管理者監視方法であって、
前記端末から送信されるべき前記信号が前記送受信端末装置にて受信できなくなった場合、前記管理端末装置に対して、注意喚起情報を前記識別情報と共に前記所定の情報として送信する送信工程を備え、
前記被管理者監視システムには、前記居住空間内の出入口と通じた廊下に固定された、前記端末からの前記信号を受信すると共に前記受信した信号に基づいて第２の所定の信号を送信する第２の送受信端末装置が備えられており、
前記送信工程は、
（１）前記端末から送信されるべき前記信号が前記送受信端末装置にて受信できなくなった場合であって、且つ、前記第２の所定の信号を受信した場合において、前記双方の場合の前記識別情報が同一であれば、前記管理端末装置に対して、前記識別情報に対応する前記被管理者が前記廊下に居る旨の情報を前記所定の情報として送信し、
（２）前記端末から送信されるべき前記信号が前記送受信端末装置にて受信できなくなった場合であって、且つ、同一の前記識別情報についての前記第２の所定の信号を受信しない場合は、前記管理端末装置に対して、前記識別情報に対応する前記被管理者の所持する前記端末に異常が発生した旨の情報を前記所定の情報として送信する、ことを特徴とする被管理者監視方法。
【請求項６】
請求項５に記載の被管理者監視方法の前記送信工程をコンピュータに実行させるプログラム。
【請求項７】
請求項６に記載のプログラムを記録した記録媒体であって、コンピュータにより処理可能な記録媒体。
【発明の詳細な説明】
【技術分野】
【０００１】
本発明は、例えば、老人ホームにおいて痴呆症の老人が無断で当該施設から外に出てしまうこと等を未然に防止する被管理者監視システム、被管理者監視方法、プログラム、及び記録媒体に関する。
【背景技術】
【０００２】
従来、送信端末を老人に持たせておいて、その老人が自室から外へ出た段階で、自室の出入り口に設置されている送受信端末装置がその送信端末から発信されているその老人固有のアドレス信号を受信することで、自室からの外出を検出し、その後、その老人が各階の出入口にさしかかったときに、その場所に設置されている別の送受信端末装置がその老人固有のアドレス信号を受信することにより、介護者等（管理者等）に対して、その老人が外出しようとしている旨を通知し注意を促すシステムが知られている（例えば、特許文献１参照）。
【先行技術文献】
【特許文献】
【０００３】
【特許文献１】特開２０１３−１４３１２３号公報
【発明の概要】
【発明が解決しようとする課題】
【０００４】
しかしながら、従来のこの様なシステムは、送信端末からの信号が送受信端末装置により検知されると、管理者に通報するというシステムであり、送信端末に異常（端末の故障、電池切れ等を含む）が発生し、送信端末が信号を発信しなくなった場合において、その老人が自室から廊下へ出たとしても、送受信端末装置は信号を受信しない為、その老人の外出を未然に防ぐことが出来ない場合があるという問題があった。
【０００５】
本発明は、上記従来の課題に鑑みて、被管理者が所持する端末においてたとえ異常が発生した場合でも、管理端末装置に注意喚起情報を送信出来る被管理者監視システム、被管理者監視方法、プログラム、及び記録媒体を提供することを目的とする。
【課題を解決するための手段】
【０００６】
第１の本発明は、
被管理者に所持されて、所定間隔で前記被管理者を識別する識別情報を含む信号を発信する端末と、前記被管理者が居る居住空間内に固定又は移動可能に配置された、前記端末からの前記信号を受信すると共に前記受信した信号に基づいて所定の信号を送信する送受信端末装置と、前記送受信端末装置からの前記所定の信号に基づいた所定の情報をネットワークを介して受信する管理端末装置とを、備え、
前記端末から送信されるべき前記信号が前記送受信端末装置にて受信できなくなった場合、前記管理端末装置に対して、注意喚起情報を前記識別情報と共に前記所定の情報として送信する被管理者監視システムであって、
前記居住空間内の出入口と通じた廊下に固定された、前記端末からの前記信号を受信すると共に前記受信した信号に基づいて第２の所定の信号を送信する第２の送受信端末装置を備え、
（１）前記端末から送信されるべき前記信号が前記送受信端末装置にて受信できなくなった場合であって、且つ、前記第２の所定の信号を受信した場合において、前記双方の場合の前記識別情報が同一であれば、前記管理端末装置に対して、前記識別情報に対応する前記被管理者が前記廊下に居る旨の情報を前記所定の情報として送信し、
（２）前記端末から送信されるべき前記信号が前記送受信端末装置にて受信できなくなった場合であって、且つ、同一の前記識別情報についての前記第２の所定の信号を受信しない場合は、前記管理端末装置に対して、前記識別情報に対応する前記被管理者の所持する前記端末に異常が発生した旨の情報を前記所定の情報として送信する、ことを特徴とする被管理者監視システムである。
また、第２の本発明は、
前記送受信端末装置は、前記居住空間内に固定されており、
前記端末から発信される前記信号の電波到達距離は調節可能であり、
前記電波到達距離は、前記端末を所持した前記被管理者が前記居住空間内において前記送受信端末装置から離れ得る距離の内、少なくとも最大距離に設定される、ことを特徴とする上記第１の本発明の被管理者監視システムである。
また、第３の本発明は、
前記送受信端末装置の固定位置は、前記居住空間内の天井の中央部、又は、前記居住空間内の出入口から最も離れた場所である、ことを特徴とする上記第２の本発明の被管理者監視システムである。
また、第４の本発明は、
前記送受信端末装置は、前記端末から受信した前記信号の電波の強度レベルを検知して、前記検知結果を前記所定の信号に含めて送信するものであり、
前記検知結果を加味した前記所定の情報を送信する、ことを特徴とする上記第１〜第３の何れか一つの本発明の被管理者監視システムである。
また、第５の本発明は、
被管理者に所持されて、所定間隔で前記被管理者を識別する識別情報を含む信号を発信する端末と、前記被管理者が居る居住空間内に固定又は移動可能に配置された、前記端末からの前記信号を受信すると共に前記受信した信号に基づいて所定の信号を送信する送受信端末装置と、前記送受信端末装置からの前記所定の信号に基づいた所定の情報をネットワークを介して受信する管理端末装置とを、備えた被管理者監視システムにおける被管理者監視方法であって、
前記端末から送信されるべき前記信号が前記送受信端末装置にて受信できなくなった場合、前記管理端末装置に対して、注意喚起情報を前記識別情報と共に前記所定の情報として送信する送信工程を備え、
前記被管理者監視システムには、前記居住空間内の出入口と通じた廊下に固定された、前記端末からの前記信号を受信すると共に前記受信した信号に基づいて第２の所定の信号を送信する第２の送受信端末装置が備えられており、
前記送信工程は、
（１）前記端末から送信されるべき前記信号が前記送受信端末装置にて受信できなくなった場合であって、且つ、前記第２の所定の信号を受信した場合において、前記双方の場合の前記識別情報が同一であれば、前記管理端末装置に対して、前記識別情報に対応する前記被管理者が前記廊下に居る旨の情報を前記所定の情報として送信し、
（２）前記端末から送信されるべき前記信号が前記送受信端末装置にて受信できなくなった場合であって、且つ、同一の前記識別情報についての前記第２の所定の信号を受信しない場合は、前記管理端末装置に対して、前記識別情報に対応する前記被管理者の所持する前記端末に異常が発生した旨の情報を前記所定の情報として送信する、ことを特徴とする被管理者監視方法である。
また、第６の本発明は、
上記第５の本発明の被管理者監視方法の前記送信工程をコンピュータに実行させるプログラムである。
また、第７の本発明は、
上記第６の本発明のプログラムを記録した記録媒体であって、コンピュータにより処理可能な記録媒体である。
本発明に関連する第１の関連発明は、
被管理者に所持されて、所定間隔で前記被管理者を識別する識別情報を含む信号を発信する端末と、前記被管理者が居る居住空間内に固定又は移動可能に配置された、前記端末からの前記信号を受信すると共に前記受信した信号に基づいて所定の信号を送信する送受信端末装置と、前記送受信端末装置からの前記所定の信号に基づいた所定の情報をネットワークを介して受信する管理端末装置とを、備えた被管理者監視システムであって、
前記端末から送信されるべき前記信号が前記送受信端末装置にて受信できなくなった場合、前記管理端末装置に対して、注意喚起情報を前記識別情報と共に前記所定の情報として送信する、ことを特徴とする被管理者監視システムである。
【０００７】
また、本発明に関連する第２の関連発明は、
前記送受信端末装置は、前記居住空間内に固定されており、
前記端末から発信される前記信号の電波到達距離は調節可能であり、
前記電波到達距離は、前記端末を所持した前記被管理者が前記居住空間内において前記送受信端末装置から離れ得る距離の内、少なくとも最大距離に設定される、ことを特徴とする上記第１の関連発明の被管理者監視システムである。
【０００８】
また、本発明に関連する第３の関連発明は、
前記送受信端末装置の固定位置は、前記居住空間内の天井の中央部、又は、前記居住空間内の出入口から最も離れた場所である、ことを特徴とする上記第２の関連発明の被管理者監視システムである。
【０００９】
また、本発明に関連する第４の関連発明は、
前記居住空間内の出入口と通じた廊下に固定された、前記端末からの前記信号を受信すると共に前記受信した信号に基づいて第２の所定の信号を送信する第２の送受信端末装置を備え、
（１）前記端末から送信されるべき前記信号が前記送受信端末装置にて受信できなくなった場合であって、且つ、前記第２の所定の信号を受信した場合において、前記双方の場合の前記識別情報が同一であれば、前記管理端末装置に対して、前記識別情報に対応する前記被管理者が前記廊下に居る旨の情報を前記所定の情報として送信し、
（２）前記端末から送信されるべき前記信号が前記送受信端末装置にて受信できなくなった場合であって、且つ、同一の前記識別情報についての前記第２の所定の信号を受信しない場合は、前記管理端末装置に対して、前記識別情報に対応する前記被管理者の所持する前記端末に異常が発生した旨の情報を前記所定の情報として送信する、ことを特徴とする上記第１〜第３の何れか一つの関連発明の被管理者監視システムである。
【００１０】
また、本発明に関連する第５の関連発明は、
前記送受信端末装置は、前記端末から受信した前記信号の電波の強度レベルを検知して、前記検知結果を前記所定の信号に含めて送信するものであり、
前記検知結果を加味した前記所定の情報を送信する、ことを特徴とする上記第１〜第４の何れか一つの関連発明の被管理者監視システムである。
【００１１】
また、本発明に関連する第６の関連発明は、
被管理者に所持されて、所定間隔で前記被管理者を識別する識別情報を含む信号を発信する端末と、前記被管理者が居る居住空間内に固定又は移動可能に配置された、前記端末からの前記信号を受信すると共に前記受信した信号に基づいて所定の信号を送信する送受信端末装置と、前記送受信端末装置からの前記所定の信号に基づいた所定の情報をネットワークを介して受信する管理端末装置とを、備えた被管理者監視システムにおける被管理者監視方法であって、
前記端末から送信されるべき前記信号が前記送受信端末装置にて受信できなくなった場合、前記管理端末装置に対して、注意喚起情報を前記識別情報と共に前記所定の情報として送信する送信工程を備えた、ことを特徴とする被管理者監視方法である。
【００１２】
また、本発明に関連する第７の関連発明は、
上記第６の関連発明の被管理者監視方法の、前記端末から送信されるべき前記信号が前記送受信端末装置にて受信できなくなった場合、前記管理端末装置に対して、注意喚起情報を前記識別情報と共に前記所定の情報として送信する前記送信工程をコンピュータに実行させるプログラムである。
【００１３】
また、本発明に関連する第８の関連発明は、
上記第７の関連発明のプログラムを記録した記録媒体であって、コンピュータにより処理可能な記録媒体である。
【発明の効果】
【００１４】
本発明によれば、被管理者が所持する端末においてたとえ異常が発生した場合でも、管理端末装置に注意喚起情報を送信出来る被管理者監視システム、被管理者監視方法、プログラム、及び記録媒体を提供することが出来る。
【図面の簡単な説明】
【００１５】
【図１】本発明の実施の形態１の被管理者監視システムの全体の概略構成を示すブロック図
【図２】本実施の形態１の老人ホームの１階部分の概略平面図
【図３】本実施の形態１の被管理者監視システムのサーバーの動作を説明するフロー図
【図４】本発明の実施の形態２のサーバーの動作を説明するフロー図
【発明を実施するための形態】
【００１６】
以下に、本発明の被管理者監視システムの一実施の形態について、図面を用いて説明すると共に、本発明の被管理者監視方法、プログラム、及び記録媒体の一例についても同時に説明する。
【００１７】
（実施の形態１）
まず、本実施の形態の被管理者監視システム１０の概要について、図１、図２を用いて説明する。
【００１８】
図１は、本実施の形態の被管理者監視システム１０の全体の概略構成を示すブロック図である。
【００１９】
本実施の形態の被管理者監視システム１０は、被管理者としての痴呆症の徘徊老人Ａ、Ｂ、Ｃを含む複数の老人が居る老人ホーム１００（図２参照）に適用した場合の例である。
【００２０】
図２は、本実施の形態の老人ホーム１００の１階部分の概略平面図である。
【００２１】
本実施の形態の老人ホーム１００では、図２に示す様に、１０１号室〜１０６号室の各部屋において、出入口から最も離れた部屋の片隅の天井部分に送受信端末装置（Ｎｏ．１）１１０、送受信端末装置（Ｎｏ．２）１２０、送受信端末装置（Ｎｏ．３）１３０、送受信端末装置（Ｎｏ．４）１４０、送受信端末装置（Ｎｏ．５）１５０、送受信端末装置（Ｎｏ．６）１６０が固定配置されている。
【００２２】
尚、本実施の形態の老人ホーム１００では、痴呆症状を有する徘徊老人は、Ａ、Ｂ、Ｃのみとし、各老人固有の識別情報を発信するペンダント状の送信端末１１０ａ、１２０ａ、１３０ａをそれぞれが常時所持することを前提として、１０１号室〜１０３号室に居住しており、１０４号室〜１０６号室に居住している老人Ｄ、Ｅ、Ｆには痴呆症状は無いので、送信端末は所持していないものとする。
【００２３】
再び図１に戻り、本実施の形態の被管理者監視システムの全体の構成について更に説明する。
【００２４】
尚、本実施の形態の送受信端末装置（Ｎｏ．１）１１０〜（Ｎｏ．６）１６０は全て同じ構成であるので、図１では、送受信端末装置（Ｎｏ．４）１４０、送受信端末装置（Ｎｏ．５）１５０の図示を省略した。また、老人ホーム１００の１０１号室から１０６号室は全て同じ構造であり、各部屋に固定設置されている送受信端末装置も上記の通り全て同じ構成であるので、１０１号室を例に挙げて説明する。
【００２５】
図１に示す様に、１０１号室に居る老人Ａが所持している送信端末１１０ａは、老人Ａの識別情報を含む信号を一定周期（例えば、０．１秒に１回の周期）で発信しており、その老人Ａが１０１号室の中に居る場合、送受信端末装置（Ｎｏ．１）１１０はその信号を常時受信し、その受信の度に、その受信信号の電波強度レベルを検出して、老人Ａの識別情報と共に、老人ホーム１００の内部に設けられたＷｉＦｉルータ１８０に所定の信号として送信し、ネットワーク２００を介してサーバー３００に送られる構成である。そして、サーバー３００では、それら一定周期で送られて来る識別情報を含む所定の信号を、時刻情報等と共にサーバー３００内に設けられたメモリ部３１０（図１参照）に逐次記録する構成である。
【００２６】
尚、本実施の形態の送信端末１１０ａ〜１３０ａは、本発明の端末の一例にあたり、本実施の形態の送受信端末装置（Ｎｏ．１）１１０からＷｉＦｉルータ１８０に送信される所定の信号が、本発明の送受信端末装置から送信される所定の信号の一例にあたる。また、本実施の形態の老人Ａ〜Ｃは、本発明の被管理者の一例にあたる。
【００２７】
ここで、老人Ａが所持している送信端末１１０ａの信号の電波到達距離は調節可能（例えば、１０ｃｍから５０ｍの範囲で調節可能）に構成されている。そして、老人Ａが１０１号室内において送受信端末装置（Ｎｏ．１）１１０から最も離れ得る場所は、１０１号室の出入口であり、電波到達距離はその出入口と送受信端末装置（Ｎｏ．１）１１０間の距離に設定されている。
【００２８】
また、送受信端末装置（Ｎｏ．１）１１０は、送信端末１１０ａ〜１３０ａから発信される信号を受信すると共にその受信信号に含まれる識別情報と、その受信信号の電波強度レベルを判定してその判定結果とを、ＷｉＦｉルータ１８０に送信する送受信部１１１と、専用プログラムや各種データを格納するメモリ部１１２と、送受信端末装置（Ｎｏ．１）１１０の機能を作業者が設定・変更するための入出力部１１３と、設定・変更結果を表示する表示部１１４と、これらの動作を制御する制御部１１５と、バッテリー（図示省略）とを備え、バッテリーへの電源を安定して供給するために、１００ＶＡＣ電源コンセントに接続されている。
【００２９】
一方、老人Ａが１０１号室の出入口から廊下に出て更に玄関に向かって歩み始めると、１０１号室内に固定配置されている送受信端末装置（Ｎｏ．１）１１０は、老人Ａが所持している送信端末１１０ａからの信号を受信できなくなるので、サーバー３００に対する上記所定の信号の送信を停止する。
【００３０】
サーバー３００は、直前まで送受信端末装置（Ｎｏ．１）１１０から一定周期で送られてきていた信号が受信できなくなったことを検知すると、送受信端末装置（Ｎｏ．１）１１０における端末装置１１０ａからの電波強度レベルが０になったと判定して、電波強度レベル０を示す判定結果を、老人Ａの識別情報や時刻情報等と共に引き続きメモリ部３１０（図１参照）に逐次記録する。
【００３１】
また、老人ホーム１００の廊下及び玄関の天井には、送信端末１１０ａ〜１３０ａからの識別情報を含む信号を受信すると共に、電波強度レベルを検知して第２の所定の信号としてＷｉＦｉルータ１８０に送信する第２の送受信端末装置（Ｎｏ．１）１７０、第２の送受信端末装置（Ｎｏ．２）１７１、・・・、及び第２の送受信端末装置（Ｎｏ．ｎ）１７２が、所定間隔で固定配置されている（図２参照）。これらの第２の送受信端末装置（Ｎｏ．１）１７０〜第２の送受信端末装置（Ｎｏ．ｎ）１７２は、上記送受信端末装置（Ｎｏ．１）１１０と基本的に同じ構成であるので、その説明を省略する。
【００３２】
尚、本実施の形態の第２の送受信端末装置（Ｎｏ．１）１７０〜第２の送受信端末装置（Ｎｏ．ｎ）１７２からＷｉＦｉルータ１８０に送信される第２の所定の信号が、本発明の第２の送受信端末装置から送信される第２の所定の信号の一例にあたる。
【００３３】
老人Ａが１０１号室の出入口から廊下に出て更に玄関に向かって歩み始めると、送受信端末装置（Ｎｏ．１）１１０は、送信端末１１０ａからの信号を受信できなくなるが、廊下や玄関の天井に固定配置されている第２の送受信端末装置（Ｎｏ．１）１７０〜第２の送受信端末装置（Ｎｏ．ｎ）１７２が順次送信端末１１０ａからの信号を受信し始める。そして、その度にＷｉＦｉルータ１８０を介して上記第２の所定の信号がサーバー３００に送られて、演算部３２０で電波強度レベルの変化状態等を所定の演算で求める。
【００３４】
更に、サーバー３００の制御部３３０が、その演算結果やメモリ部３１０に記録されている各種データに基づいて、必要に応じて、ネットワーク２００及びＷｉＦｉルータ１８０を介して、老人ホーム１００内の介護者（又は管理者）の管理端末装置１９０に所定の情報（例えば、老人Ａが自室を出て徘徊しようとしている旨の情報）を送信し、また、ネットワーク２００を介して、老人Ａの自宅４００の管理端末装置４１０、警察署５００内の管理端末装置５１０、或いは消防署６００の管理端末装置６１０等にも所定の情報を送信して、徘徊老人の監視及び保護を図る構成である。
【００３５】
次に、主として図２、図３を用いて本実施の形態の被管理者監視システム１０の動作を説明しながら、本発明の被管理者監視方法の一実施の形態についても同時に説明する。
【００３６】
図３は、本実施の形態の被管理者監視システム１０のサーバー３００の動作を説明するフロー図である。図３は、老人Ａについてのフロー図であるが、他の老人（被管理者）についても、一部の例外を除き原則的に同じフローに基づいて処理が行われる。
【００３７】
尚、一部の例外とは、ある部屋に居住する老人を管理する場合、その部屋の出入口から見てロビー、及び玄関に向かう経路の反対方向の経路上に配置された第２の送受信端末装置から送信されたデータは考慮しない点である。例えば、１０１号室の老人Ａを管理する場合、第２の送受信端末装置（Ｎｏ．１）１７０〜第２の送受信端末装置（Ｎｏ．ｎ）１７２からのデータは全て考慮するが、１０３号室の老人Ｃを管理する場合、第２の送受信端末装置（Ｎｏ．１）１７０からのデータは考慮しない。この様に、一部のデータを考慮しなくても、老人が老人ホーム１００の玄関から外へ出ていくことは未然に防止出来るので問題は無い。
【００３８】
ここでは、老人Ａの移動範囲について、（１）自室内に居る場合と、（２）自室から出た場合に分けて説明する。
【００３９】
（１）老人Ａが１０１号室の内部を移動している場合について：
老人Ａが、図２に示す通り、自室内において送受信端末装置（Ｎｏ．１）１１０の近傍の位置Ａ（Ｐ１）から位置Ａ（Ｐ２）に移動すると、送受信端末装置（Ｎｏ．１）１１０が受信する送信端末１１０ａからの信号（例えば０．１秒に１回の周期で発信される信号）の電波強度レベルは低下する方向に変化するが、老人Ａが自室の中で移動しているだけであるので、電波強度レベルが０近傍になること、即ち、実質上受信が出来なくなることはない。
【００４０】
図２では、老人Ａが所持する送信端末１１０ａが発信する電波の到達範囲を二点鎖線で示した。
【００４１】
この状況下で、送受信端末装置（Ｎｏ．１）１１０は、送信端末１１０ａから逐次受信した、変化する電波強度レベルのデータと、老人Ａの識別情報とを含む所定の信号を、一定周期（例えば１秒に１回の周期）で送信する。送受信端末装置（Ｎｏ．１）１１０から送信された所定の信号は、老人ホーム１００の介護者（管理者）詰め所に設置されたＷｉＦｉルータ１８０、及びネットワーク２００を介して、サーバー３００に送られて、時刻情報と共にメモリ部３１０に逐次記録される（図１参照）。
【００４２】
尚、例えば、１０１号室の送受信端末装置（Ｎｏ．１）１１０は、老人Ａからの信号を受信している最中に、建物の構造によっては、１０１号室の前の廊下を歩いている老人Ｂが所持している送信端末１２０ａからの信号を受信する場合もある。その場合でも、老人Ｂの識別情報と共に、その受信信号の電波強度レベルのデータが、上記と同様に、ＷｉＦｉルータ１８０、及びネットワーク２００を介して、送受信端末装置（Ｎｏ．１）１１０から送信されて、時刻情報と共にサーバー３００のメモリ部３１０に記録されるので、老人Ａの信号と他の老人の信号は明確に区別可能である。
【００４３】
一方、サーバー３００では、制御部３３０が、メモリ部３１０に記録されている老人毎のデータを一定期間分読み出して（図３のステップＳ１０１参照）、その内、１０１号室の送受信端末装置（Ｎｏ．１）１１０からのデータについて、演算部３２０に電波強度レベルの変化状況を演算させる（ステップＳ１０２参照）。
【００４４】
そして、その演算結果から、電波強度レベルが０以上の範囲内で変化していると制御部３３０が判断した場合は、その老人Ａは、自室に居ると判定して、ステップＳ１０１に戻り、老人Ａについての注意喚起情報は送信しない（ステップＳ１０３参照）。
【００４５】
しかし、電波強度レベルが０であればステップＳ１０４に進み、ステップＳ１０１で読み出したデータの中に、廊下などに設置されている第２の送受信端末装置（Ｎｏ．１）１７０〜第２の送受信端末装置（Ｎｏ．ｎ）１７２からの受信データが有れば、ステップＳ１２０へ進む。
【００４６】
ここでは、老人Ａは自室内に居るので、通常は、ステップＳ１０３からステップＳ１０１の処理を繰り返す。
【００４７】
しかし、制御部３３０において、ステップＳ１０１で読み出したデータの中に、廊下などに設置された第２の送受信端末装置（Ｎｏ．１）１７０〜第２の送受信端末装置（Ｎｏ．ｎ）１７２からの老人Ａの送信信号を受信した旨の第２の所定の信号が確認されておらず、且つ、電波強度レベルが０の時間が一定時間（例えば、３０秒間）継続したと判定されると（ステップＳ１０５参照）、制御部３３０は、その老人Ａが所持している送信端末１１０ａに異常が発生（送信端末の故障、電池切れなどを含む）したと判断して（ステップＳ１０６参照）、ネットワーク２００を介して、老人Ａが所持している送信端末１１０ａに異常が発生（送信端末の故障、電池切れなどを含む）した旨の情報を管理端末装置１９０宛に送信する（ステップＳ１０７参照）。
【００４８】
これにより、痴呆症状を有する老人Ａ（被管理者）が所持する送信端末１１０ａにおいてたとえ異常が発生（送信端末の故障、電池切れなどを含む）した場合でも、介護者の管理端末装置１９０に直ちに注意喚起情報を送信出来るので、痴呆症状を有する老人の保護・監視がより確実に行える。
【００４９】
（２）老人Ａが１０１号室から廊下に出て玄関に向かって移動している場合について：
老人Ａが、図２に示す通り、１０１号室の出入口の位置Ａ（Ｐ３）から廊下へ出て、位置Ａ（Ｐ４）からロビー入り口付近の位置Ａ（Ｐ６）まで移動した場合、各送受信端末装置におけるデータの受信・送信状況は次の通りである。
【００５０】
即ち、１０１号室の送受信端末装置（Ｎｏ．１）１１０は、老人Ａが位置Ａ（Ｐ３）から位置Ａ（Ｐ４）に移動する途中で、送信端末１１０ａからの信号を受信出来なくなるので、サーバー３００に対する上記所定の信号の送信を停止する。
【００５１】
その場合、サーバー３００は、直前まで送受信端末装置（Ｎｏ．１）１１０から一定周期で送られてきていた信号が受信できなくなったことを検知すると、送受信端末装置（Ｎｏ．１）１１０における端末装置１１０ａからの電波強度レベルが０になったと判定して、電波強度レベル０を示す判定結果を、老人Ａの識別情報や時刻情報等と共に引き続きメモリ部３１０（図１参照）に逐次記録する。
【００５２】
老人Ａが位置Ａ（Ｐ４）に移動したときの送信端末１１０ａの電波到達範囲は、符号１１０ａ（Ｐ４）で示した通りであり、第２の送受信端末装置（Ｎｏ．１）１７０により、送信端末１１０ａの信号が受信される。第２の送受信端末装置（Ｎｏ．１）１７０は、老人Ａの識別情報と共に、送信端末１１０ａから受信した信号の電波強度レベルを示す情報を一定間隔（例えば、１秒間に１回の周期）でサーバー３００に送信する。尚、老人Ａが位置Ａ（Ｐ３）に居たときの送信端末１１０ａの電波到達範囲には、符号１１０ａ（Ｐ３）を付した。
【００５３】
その後、老人Ａは、位置Ａ（Ｐ５）に移動するが、このとき第２の送受信端末装置（Ｎｏ．１）１７０が受信する、送信端末１１０ａからの信号の電波強度レベルは最高レベルに達する（図２の電波到達範囲１１０ａ（Ｐ５）参照）。
【００５４】
更に、老人Ａは、位置Ａ（Ｐ６）に移動して、電波到達範囲１１０ａ（Ｐ６）の範囲内に設置されている第２の送受信端末装置（Ｎｏ．２）１７１により送信端末１１０ａからの信号が受信されて、これらの情報がその都度、サーバー３００に送られる。
【００５５】
一方、サーバー３００では、制御部３３０が、メモリ部３１０に記録されている老人Ａのデータを一定期間分読み出して（図３のステップＳ１０１参照）、その内、１０１号室の送受信端末装置（Ｎｏ．１）１１０からのデータについて、演算部３２０に電波強度レベルの変化状況を演算させる（ステップＳ１０２参照）が、電波強度レベルが０であるので、ステップＳ１０４に進む。
【００５６】
ステップＳ１０１で読み出したデータの中に、第２の送受信端末装置（Ｎｏ．１）１７０のデータが含まれているので、ステップＳ１２０へ進む。
【００５７】
ステップＳ１２０では、演算部３２０が、第２の送受信端末装置（Ｎｏ．１）１７０〜第２の送受信端末装置（Ｎｏ．ｎ）１７２のデータの内、ステップＳ１０１で読み出したデータに含まれている全てのデータについて電波強度レベルを演算する。
【００５８】
そして、制御部３３０は、ステップＳ１２０での演算結果から、まず、第２の送受信端末装置（Ｎｏ．１）１７０の受信信号の電波強度レベルが増加傾向にあるかどうかを判定し（ステップＳ１２１参照）、増加傾向にあると判定すれば、ステップＳ１２２に進み、老人Ａが自室（１０１号室）を出て、廊下を移動中である旨の情報を管理端末装置１９０に送信する。この場合、介護者に対して、注意を喚起するために、管理端末装置１９０の表示部に表示されるメッセージの色は例えば黄色に設定されている。
【００５９】
次に、制御部３３０は、ステップＳ１２０での演算結果から、第２の送受信端末装置（Ｎｏ．２）１７１の受信信号の電波強度レベルが増加傾向にあるかどうかを判定し（ステップＳ１２３参照）、増加傾向にあると判定すれば、ステップＳ１２４に進み、老人Ａが自室（１０１号室）を出て、ロビーまで移動した旨の情報を管理端末装置１９０に送信する。この場合、介護者に対して、ステップＳ１２２に比べて緊急性が少し高まったことを示すために、管理端末装置１９０の表示部に表示されるメッセージの色は例えば黄色からオレンジ色に変更されて送信される。
【００６０】
次に、制御部３３０は、ステップＳ１２０での演算結果から、第２の送受信端末装置（Ｎｏ．ｎ）１７２の受信信号の電波強度レベルが増加傾向にあるかどうかを判定し（ステップＳ１２５参照）、増加傾向にあると判定すれば、ステップＳ１２６に進み、老人Ａが自室（１０１号室）を出て、玄関から外へ出ようとしている旨の情報を管理端末装置１９０に送信する。この場合、介護者に対して、ステップＳ１２４に比べて緊急性がかなり高まったことを示すために、管理端末装置１９０の表示部に表示されるメッセージの色は例えばオレンジ色から赤色に変更されて送信される。
【００６１】
次に、制御部３３０は、ステップＳ１２０での演算結果から、第２の送受信端末装置（Ｎｏ．２）１７１の受信信号の電波強度レベルが増加せず、且つ、第２の送受信端末装置（Ｎｏ．ｎ）１７２の受信信号の電波強度レベルが減少傾向にあるかどうかを判定し（ステップＳ１２７参照）、ＹＥＳであると判定すれば、ステップＳ１２８に進み、老人Ａが老人ホーム１００の玄関から外へ出てしまった旨の情報を管理端末装置１９０のみならず、警察署５００の管理端末装置５１０、及び老人Ａの自宅４００の管理端末装置４１０にも送信する。この場合、介護者、警察署、及び老人Ａの自宅の各管理者に対して、緊急性が極めて高いことを示すために、各管理端末装置１９０、４１０、５１０の表示部に表示されるメッセージの色は例えば赤色であり、且つ、警告音も発生させる為の指令がサーバー３００から送信される。尚、所定の条件下にあっては、サーバー３００の制御部３３０は、消防署６００の管理端末装置６１０に対しても上記緊急性の高い情報を送信する。
【００６２】
尚、上記ステップＳ１２１、Ｓ１２３、Ｓ１２５、Ｓ１２７において、ＮＯの判定がなされた場合は、何れもステップＳ１０１に戻る。
【００６３】
これにより、老人Ａの保護・監視が確実に行えると共に、仮に、老人Ａが老人ホーム１００から外へ出てしまった場合でも、サーバー３００からの一斉送信により、介護者のみならず、老人Ａの自宅の人、警察署５００、消防署６００に対しても、老人Ａの保護要請が迅速に行えるので、関係部門が連係した効果的な捜索・保護活動が実行出来る。
【００６４】
尚、本実施の形態で説明したサーバー３００の、演算部３２０及び制御部３３０などは、ハードウェアで実現させるよりも、プログラムをＣＰＵに実行させてソフトウェアで実現させることにより、図３で説明した各ステップでの判定基準の変更・追加などに柔軟に対応できる。
【００６５】
また、本発明のプログラムの一例としては、上述した本発明の被管理者監視方法の一実施の形態の被管理者監視方法（図３参照）の、例えば送信端末１１０ａから送信されるべき信号が送受信端末装置１１０にて受信できなくなった場合、管理端末装置１９０に対して、注意喚起情報を識別情報と共に所定の情報として送信する送信工程（図３のステップＳ１０１〜ステップＳ１０７参照）の動作をコンピュータ（図１のサーバー３００参照）により実行させるプログラムであって、コンピュータと協働して動作するプログラムが挙げられる。
【００６６】
また、本発明のプログラムの他の例としては、上述した本発明の被管理者監視方法の一実施の形態の被管理者監視方法（図３参照）の、図３のステップＳ１０１〜Ｓ１２８の動作をコンピュータ（図１のサーバー３００参照）により実行させるプログラムであって、コンピュータと協働して動作するプログラムが挙げられる。
【００６７】
また、本発明の記録媒体の一例は、上述した本発明の被管理者監視方法の一実施の形態の被管理者監視方法（図３参照）の、例えば送信端末１１０ａから送信されるべき信号が送受信端末装置１１０にて受信できなくなった場合、管理端末装置１９０に対して、注意喚起情報を識別情報と共に所定の情報として送信する送信工程（図３のステップＳ１０１〜ステップＳ１０７参照）の動作をコンピュータ（図１のサーバー３００参照）により実行させるプログラムを記録した記録媒体であり、コンピュータにより読み取り可能且つ、読み取られたプログラムがコンピュータと協働して利用される記録媒体である。
【００６８】
また、本発明の記録媒体の他の例としては、上述した本発明の被管理者監視方法の一実施の形態の被管理者監視方法（図３参照）の、図３のステップＳ１０１〜Ｓ１２８の動作をコンピュータ（図１のサーバー３００参照）により実行させるプログラムを記録した記録媒体であり、コンピュータにより読み取り可能且つ、読み取られたプログラムがコンピュータと協働して利用される記録媒体である。
【００６９】
また、上記「工程の動作」とは、上記各工程の全部又は一部の動作を意味する。
【００７０】
また、本発明のプログラムの一利用形態は、コンピュータにより読み取り可能な、ＲＯＭ等の記録媒体に記録され、コンピュータと協働して動作する態様であっても良い。
【００７１】
また、本発明のプログラムの一利用形態は、インターネット等の伝送媒体、光・電波・音波等の伝送媒体中を伝送し、コンピュータにより読みとられ、コンピュータと協働して動作する態様であっても良い。
【００７２】
（実施の形態２）
ここでは、本発明の被管理者監視システムの別の一実施の形態について、図面を用いて説明すると共に、本発明の被管理者監視方法、プログラム、及び記録媒体の別の一例についても同時に説明する。
【００７３】
上記実施の形態１では、各部屋に固定設置された送受信端末装置（Ｎｏ．１）１１０〜送受信端末装置（Ｎｏ．６）１６０の他に、第２の送受信端末装置（Ｎｏ．１）１７０、第２の送受信端末装置（Ｎｏ．２）１７１、・・・、及び第２の送受信端末装置（Ｎｏ．ｎ）１７２が備えられた場合について説明した。
【００７４】
これに対して、本実施の形態２では、第２の送受信端末装置（Ｎｏ．１）１７０、第２の送受信端末装置（Ｎｏ．２）１７１、・・・、及び第２の送受信端末装置（Ｎｏ．ｎ）１７２が備えられていない構成である点で上記実施の形態１と相違し、その相違点を中心に主として図４を用いて説明する。
【００７５】
尚、上記実施の形態１と同じ構成については同じ符号を付して、その説明を省略する。
【００７６】
また、本実施の形態２の構成は、上記の通り、上記実施の形態１の構成から、第２の送受信端末装置（Ｎｏ．１）１７０、第２の送受信端末装置（Ｎｏ．２）１７１、・・・、及び第２の送受信端末装置（Ｎｏ．ｎ）１７２を除いたものである為、図１、図２から、第２の送受信端末装置（Ｎｏ．１）１７０、第２の送受信端末装置（Ｎｏ．２）１７１、・・・、及び第２の送受信端末装置（Ｎｏ．ｎ）１７２を除いた構成に相当する。
【００７７】
ここで、図４は、本実施の形態２のサーバー３００の動作を説明するフロー図である。
【００７８】
尚、図４において、図３と同じステップについては同じ符号を付し、その説明を省略する。
【００７９】
ここでは、老人Ａの移動範囲について、自室内に居る場合は、上記実施の形態１で説明した内容がそのまま適用できるのでその説明を省略し、自室から出た場合について、本実施の形態２のサーバー３００の動作を中心に説明する。
【００８０】
老人Ａが、図２に示す通り、１０１号室の送受信端末装置（Ｎｏ．１）１１０の近傍の位置Ａ（Ｐ１）から位置Ａ（Ｐ２）に移動し、そこから更に出入口の位置Ａ（Ｐ３）を経て、廊下へ出て位置Ａ（Ｐ４）まで移動した場合、送受信端末装置（Ｎｏ．１）１１０のデータの受信・送信状況は次の通りである。
【００８１】
即ち、１０１号室の送受信端末装置（Ｎｏ．１）１１０は、老人Ａが位置Ａ（Ｐ１）、位置Ａ（Ｐ２）、位置Ａ（Ｐ３）、位置Ａ（Ｐ４）を移動するにつれて、送信端末１１０ａからの電波強度レベルは徐々に低下し、廊下の位置Ａ（Ｐ４）では、電波強度レベルは０になる。その後、老人Ａはロビー方向に進むので、送信端末１１０ａが発信する信号は、送受信端末装置（Ｎｏ．１）１１０に受信されることが無いので、その電波強度レベルは０のままとなる。
【００８２】
即ち、１０１号室の送受信端末装置（Ｎｏ．１）１１０は、老人Ａが位置Ａ（Ｐ３）から位置Ａ（Ｐ４）に移動する途中で、送信端末１１０ａからの信号を受信出来なくなるので、上記実施の形態１で説明した場合と同様に、サーバー３００に対する上記所定の信号の送信を停止する。
【００８３】
またその場合、サーバー３００は、直前まで送受信端末装置（Ｎｏ．１）１１０から一定周期で送られてきていた信号が受信できなくなったことを検知して、電波強度レベル０を示す判定結果を、老人Ａの識別情報や時刻情報等と共に引き続きメモリ部３１０（図１参照）に逐次記録する点についても、上記実施の形態１で説明したのと同様である。
【００８４】
尚、本実施の形態２では、上述した通り、廊下などに第２の送受信端末装置は設定されていないので、第２の送受信端末装置が送信端末１１０ａの信号を受信した旨の信号がサーバー３００に送信されることは無い。
【００８５】
一方、サーバー３００では、制御部３３０が、メモリ部３１０に記録されている老人Ａのデータを一定期間分読み出して（図４のステップＳ１０１参照）、１０１号室の送受信端末装置（Ｎｏ．１）１１０からのデータについて、演算部３２０に電波強度レベルの変化状況を演算させる（ステップＳ１０２参照）。
【００８６】
電波強度レベルが０より大きいかどうかを判定し、大きい場合は、ステップＳ１０１に戻るが、老人Ａが位置Ａ（Ｐ４）に居たときのデータを演算した結果、電波強度レベルが０であるので、ステップＳ１０５へ進む（ステップＳ１０３参照）。
【００８７】
ステップＳ１０５では、送受信端末装置（Ｎｏ．１）１１０から送信されて、メモリ部３１０に記録されている電波強度レベルが０である状態が連続して一定時間（例えば、３０秒）以上続いたかどうかを判定する。
【００８８】
ここでは、老人Ａはロビー方向に向けて移動しているので、ステップＳ１０５の判定結果はＹＥＳであり、ステップＳ２０１へ進む。
【００８９】
ステップＳ２０１では、電波強度レベルが０の状態を一定時間以上続ける直前における電波強度レベルが、減少傾向を示したかどうかを判定する。
【００９０】
ここでは、位置Ａ（Ｐ１）から位置Ａ（Ｐ３）において、電波強度レベルが減少傾向を示しているので、制御部３３０は、老人Ａは自室から廊下に出た可能性が高いと判定し、その旨を管理端末装置１９０へ送信する。（ステップＳ２０２参照）。
【００９１】
尚、仮に、送受信端末装置（Ｎｏ．１）１１０が受信する送信端末１１０ａからの電波強度レベルが、減少傾向を示しておらず、突然、送信端末１１０ａからの信号が受信できなくなった場合（即ち、電波強度レベルが０の場合）、老人Ａが自室内から瞬間的に廊下に移動することは不可能であるから、この場合は、制御部３３０は、老人Ａの所持している送信端末１１０ａに異常が発生した可能性が高いと判定し、その旨を管理端末装置１９０へ送信する（ステップＳ２０３参照）。
【００９２】
以上の構成によれば、第２の送受信端末装置が設置されていない構成であっても、老人Ａ（被管理者）が所持する送信端末１１０ａにおいて、たとえ異常が発生した場合でも、介護者の管理端末装置１９０に注意喚起情報を送信することが出来るので、痴呆症状を有する老人の保護・監視をより確実に行える。
【００９３】
尚、本実施の形態で説明したサーバー３００の、演算部３２０及び制御部３３０などは、ハードウェアで実現させるよりも、プログラムをＣＰＵに実行させてソフトウェアで実現させることにより、図３で説明した各ステップでの判定基準の変更・追加などに柔軟に対応できる。
【００９４】
また、本発明のプログラムの一例としては、上述した本発明の被管理者監視方法の一実施の形態の被管理者監視方法（図４参照）の、例えば送信端末１１０ａから送信されるべき信号が送受信端末装置１１０にて受信できなくなった場合、管理端末装置１９０に対して、注意喚起情報を識別情報と共に所定の情報として送信する送信工程（図４のステップＳ１０１〜ステップＳ２０３参照）の動作をコンピュータ（図１のサーバー３００参照）により実行させるプログラムであって、コンピュータと協働して動作するプログラムが挙げられる。
【００９５】
また、本発明の記録媒体の一例は、上述した本発明の被管理者監視方法の一実施の形態の被管理者監視方法（図４参照）の、例えば送信端末１１０ａから送信されるべき信号が送受信端末装置１１０にて受信できなくなった場合、管理端末装置１９０に対して、注意喚起情報を識別情報と共に所定の情報として送信する送信工程（図４のステップＳ１０１〜ステップＳ２０３参照）の動作をコンピュータ（図１のサーバー３００参照）により実行させるプログラムを記録した記録媒体であり、コンピュータにより読み取り可能且つ、読み取られたプログラムがコンピュータと協働して利用される記録媒体である。
【００９６】
また、上記「工程の動作」とは、上記各工程の全部又は一部の動作を意味する。
【００９７】
また、本発明のプログラムの一利用形態は、コンピュータにより読み取り可能な、ＲＯＭ等の記録媒体に記録され、コンピュータと協働して動作する態様であっても良い。
【００９８】
また、本発明のプログラムの一利用形態は、インターネット等の伝送媒体、光・電波・音波等の伝送媒体中を伝送し、コンピュータにより読みとられ、コンピュータと協働して動作する態様であっても良い。
【００９９】
尚、上記実施の形態では、被管理者監視システム、及び被管理者監視方法を老人ホームに適用した場合について説明したが、これに限らず例えば、痴呆症状を有する徘徊老人が居る個人宅に適用しても同様の効果を発揮する。
【０１００】
また、上記実施の形態では、被管理者監視システム、及び被管理者監視方法を老人ホームに適用した場合について説明したが、これに限らず例えば、災害発生時に体育館等の避難場所に痴呆症状を有する徘徊老人が避難している場合において、本発明の被管理者監視システム、及び被管理者監視方法を適用することが可能である。
【０１０１】
即ち、この場合、体育館は通常複数の扉が設けられているので、各扉からの直線距離が、それぞれ異なる位置（例えば、体育館の天井）に送受信端末装置を一つ固定配置し、痴呆症状を有する老人に所持させる、固有の識別情報を含む信号を発信する送信端末は、その発信信号の電波到達範囲を、体育館の避難スペースの内、送受信端末装置とから最も遠い場所までの距離以上に設定し、更に、送受信端末装置は送信端末からの受信信号の電波強度レベルを検知出来る構成とする。そして、それぞれの扉の位置に送信端末が存在したときに、送受信端末装置が受信する信号の電波強度レベルの違いをそれぞれの扉毎に予め閾値データとしてサーバー３００のメモリ部３１０に格納しておく。
【０１０２】
具体的には、送受信端末装置が受信する、ある識別情報が付された信号の電波強度レベルが徐々に弱くなる傾向にあって、且つ、メモリ部３１０に記録されている第１の閾値で受信が途絶えた場合、サーバー３００の制御部３３０は、その老人が第１の扉から外出したと判定し、その旨を示す注意喚起情報を体育館に居る管理者が所持している管理端末装置にネットワーク２００等を介して送信する。
【０１０３】
これにより、送信端末を所持した老人が、体育館から外に出たかどうかの判定に加えて、どの扉から外出したかの判定も可能となる。
【０１０４】
また、上述した避難場所として体育館等に本発明の被管理者監視システム、及び被管理者監視方法を適用した場合において、更に、その体育館内部に立ち入り禁止区域がある場合についての適用例を説明する。
【０１０５】
この場合、上記構成に加えて、同じ体育館内の立ち入り禁止区域の天井の中央位置に別の送受信端末装置（以下、ここでは、第３の送受信端末装置と称す）を固定配置し、その第３の送受信端末装置は受信信号の電波強度レベルを検知可能に構成されているものとする。
【０１０６】
これにより、第３の送受信端末装置が、送信端末から発信される信号の電波強度レベルを一定間隔でサーバー３００に送信しているときに、その電波強度レベルが所定の閾値を超えたと、制御部３３０により判定された場合、制御部３３０は、その老人が立ち入り禁止区域に侵入したと判定して、その旨を体育館に居る管理者が所持している管理端末装置にネットワーク２００等を介して送信する。
【０１０７】
これにより、送信端末を所持した老人が、体育館内の立ち入り禁止区域に侵入したことを検知し迅速に通知して、避難場所においても、痴呆症状を有する徘徊老人の保護・監視をより確実に行える。
【０１０８】
また、上記実施の形態では、送受信端末装置（Ｎｏ．１）１１０〜送受信端末装置（Ｎｏ．６）１６０は、各部屋において、出入口から最も離れた部屋の片隅の天井部分に固定配置されている場合について説明したが、これに限らず例えば、送受信端末装置（Ｎｏ．１）１１０〜送受信端末装置（Ｎｏ．６）１６０は各部屋の中心の天井部分に固定配置された構成であっても良く、要するに、第２の送受信端末装置が室外に配置されていることを前提とすれば、被管理者が室内に居る場合にその被管理者の所持する送信端末からの信号を、室内の送受信端末装置が受信できる位置（電波強度レベルが０にならない位置）であれば、その室内のどこに固定配置しても良い。
【０１０９】
また、上記実施の形態では、送受信端末装置（Ｎｏ．１）１１０〜送受信端末装置（Ｎｏ．６）１６０は、各部屋において、固定配置されている場合について説明したが、これに限らず例えば、送受信端末装置（Ｎｏ．１）１１０〜送受信端末装置（Ｎｏ．６）１６０の設置場所は移動可能に構成しても良い。
【０１１０】
この場合、送信端末の信号の電波到達距離は、その部屋の室内空間の最大直線距離以上に設定されることが好ましい。その部屋に居住する被管理者（痴呆症状を有する老人）がその部屋のどの位置に居ても、送受信端末装置が送信端末からの信号を受信出来る様にするためである。更にまた、送受信端末装置（Ｎｏ．１）１１０〜送受信端末装置（Ｎｏ．６）１６０としてタブレット端末を用い、サーバー３００としてクラウドサーバー（登録商標）を用い、介護者の管理端末装置１９０や被管理者の自宅４００の管理端末装置４１０としてタブレット端末を用いた構成とすれば、被管理者の自宅４００の管理端末装置４１０から孫の写真を添付したメールを老人宛に送信した場合、その老人の部屋のテーブルの上に配置された送受信端末装置としてのタブレット端末の画面に自動的に表示される。また、介護者の管理端末装置１９０から献立やお知らせを添付したメールを老人宛に送信した場合、その老人の部屋に配置された送受信端末装置のタブレット端末の画面に自動的に表示される。
【０１１１】
これにより、老人の心を癒したり和ませたりすることが出来る。
【０１１２】
この様な付随的効果は、老人が自ら送信端末を所持しようとすることの動機付けとなる。
【０１１３】
また、上記実施の形態では、送受信端末装置（Ｎｏ．１）１１０〜送受信端末装置（Ｎｏ．６）１６０が、送信端末から受信した信号の電波強度レベルを検出可能である場合について説明したが、これに限らず例えば、送信端末から信号を受信したことのみを検出出来る構成であっても良い。この場合、例えば、送受信端末装置（Ｎｏ．１）１１０〜送受信端末装置（Ｎｏ．６）１６０は、図２で説明した様に、各部屋において、出入口から最も離れた部屋の片隅の天井部分に固定配置されていることが好ましい。
【０１１４】
この構成の場合、電波強度レベルの変化状況が不明であるため、図４のステップＳ２０１の判定は出来ないが、ステップＳ１０５において、制御部３３０が、電波を受信できなくなったことを示すデータが連続して一定時間（例えば、３０秒）以上継続していると判定することによって、被管理者（痴呆症状を有する徘徊老人）が自室から廊下へ出たか、あるいは、その老人が所持する送信端末に異常が発生した（送信端末の故障、電池切れ等を含む）かの可能性を知らせるための注意喚起情報を、制御部３３０は、ネットワークを介して管理者（介護者）の管理端末装置１９０や被管理者の自宅の管理端末装置４１０等に送信する。
【０１１５】
これにより、被管理者が所持する端末においてたとえ異常が発生した場合でも、管理端末装置に注意喚起情報を送信出来る。
【０１１６】
また、上記実施の形態で述べた被管理者監視システム、及び被管理者監視方法において、例えば、ｉＢｅａｃｏｎ通信システムを利用した構成でも良い。
【０１１７】
ここで、ｉＢｅａｃｏｎ通信システムとは、低消費電力通信規格「Ｂｌｕｅｔｏｏｔｈ（登録商標）  Ｌｏｗ  Ｅｎｅｒｇｙ（ＢＬＥ）」の小型チップを搭載した発信器から一定間隔でプッシュ通信してくる電波を、同じく、「Ｂｌｕｅｔｏｏｔｈ  Ｌｏｗ  Ｅｎｅｒｇｙ」の小型チップを搭載したスマートフォン或いはタブレット端末が受信することで、ＢＬＥ発信器の個別ＩＤを認識する通信システムであり、個別のＢＬＥ発信器に設定された属性をスマートフォン或いはタブレット端末に自動で表示し、クラウドサーバーへのアクセスを促すプログラムを利用したシステムである。
【０１１８】
米国アップル社のスマートフォン、タブレット端末のＯＳ（オペレーションシステム）であるｉＯＳ７．０以降、及び米国Ｇｏｏｇｌｅ社のＡｎｄｒｏｉｄ（登録商標）端末向けのＯ．Ｓ．４．３以降が、ｉＢｅａｃｏｎ通信システム対応している。
【０１１９】
そこで、上記実施の形態で述べた被管理者監視システム、及び被管理者監視方法において、ｉＢｅａｃｏｎ通信システムを利用する場合、例えば、上記送信端末としてＢＬＥ発信器、上記送受信端末装置としてスマートフォン又はタブレット端末、上記管理端末装置としてスマートフォン又はタブレット端末、上記サーバー（図1参照）としてクラウドサーバーを採用する構成であっても良い。
【０１２０】
この場合、上記送受信端末装置としてのスマートフォン又はタブレット端末には、受信したＢＬＥ発信器のＩＤ（識別情報）やＢＬＥ発信器に搭載された各種センサー情報を一定周期（例えば、1秒間に1回の周期）で、クラウドサーバーに送信するための本実施の形態に対応した専用プログラムがインストールされている。図1で示した様に、ＷｉＦｉルータ１８０がある場合は、ＷｉＦｉルータ１８０を介してクラウドサーバー（図1の符号３００参照）に送信し、ＷｉＦｉルータ１８０がない場合は、送受信端末装置としてのスマートフォンにＳＩＭを入れて３Ｇないし４Ｇ（ＬＴＥ）回線を通じてクラウドサーバーに送信する。
【０１２１】
ここでは、送受信端末装置としてのスマートフォンは、ＢＬＥ発信器から受信した電波の強度レベルをはじめ各種センサーの情報（例えば、電池残量、動いているか止まっているか、温度、湿度、高度等）を同時にクラウドサーバーに常時送信するために、本体バッテリーへの安定した電源供給を実現する必要があり、電源コンセントによる電源供給を採用したが、これに限らず例えば、長時間バッテリーやソーラー電源等の独立型電源供給を採用しても良い。
【０１２２】
また、この構成の場合、送受信端末装置としてのスマートフォン画面は、不特定の第三者からプログラムの変更や改ざんをされない様に、ＩＤとパスワードで保護する構成としても良い。また、このプログラムは、クラウドサーバーからの状況に応じて設定変更可能としても良い。
【０１２３】
また、クラウドサーバーには、上述した制御部３３０による各ステップでの処理や、メモリ部３１０や演算部３２０での処理を実行させるための専用プログラムがインストールされている。クラウドサーバーにインストールされた専用プログラムは、ネットワークを介して不特定の第三者から変更や改ざんをされない様に、ＩＤとパスワードで保護する構成としても良い。
【０１２４】
この構成によれば、安価な構成で、被管理者の保護・監視をより確実に行える。
【０１２５】
また、上述した様に、送信端末としてＢＬＥ発信器を採用した場合、更にＢＬＥ発信器にエマージェンシーコールスイッチを設けることで、通常の場合は、一定周期で発信される信号を、エマージェンシーコールスイッチを押すことにより、その一定周期を変化させて発信される構成としても良い。これにより、サーバー３００の制御部３３０が、その一定周期の変化を検出して、被管理者に異常が発生したと判定して、管理端末装置１９０等にその旨の情報を送信することが可能となる。
【０１２６】
また、上記実施の形態では、サーバー３００の制御部３３０により被管理者に関する異常発生の有無等を判定する構成について説明したが、これに限らず例えば、サーバー３００を備えない構成であっても良い。
【０１２７】
この場合、上述したサーバー３００のメモリ部３１０、演算部３２０、制御部３３０の機能を、管理者の管理端末装置１９０に持たせる構成とすればよい。また、この場合のネットワークの例としては、施設内ＬＡＮ回線等が挙げられる。
【産業上の利用可能性】
【０１２８】
本発明の被管理者監視システム、被管理者監視方法、プログラム、及び記録媒体によれば、被管理者が所持する端末においてたとえ異常が発生した場合でも、管理端末装置に注意喚起情報を送信出来るという効果を発揮し、例えば、老人ホーム等に適用する被管理者監視システム、被管理者監視方法、プログラム、及び記録媒体として有用である。
【符号の説明】
【０１２９】
１０    被管理者監視システム
１００  老人ホーム
１１１  送受信部
１１２  メモリ部
１１３  入出力部
１１４  表示部
１１５  制御部
１１０  送受信端末装置（Ｎｏ．１）
１２０  送受信端末装置（Ｎｏ．２）
１３０  送受信端末装置（Ｎｏ．３）
１４０  送受信端末装置（Ｎｏ．４）
１５０  送受信端末装置（Ｎｏ．５）
１６０  送受信端末装置（Ｎｏ．６）
１７０  第２の送受信端末装置（Ｎｏ．１）
１７１  第２の送受信端末装置（Ｎｏ．２）
１７２  第２の送受信端末装置（Ｎｏ．ｎ）
１８０  ＷｉＦｉルータ
１９０  管理端末装置
２００  ネットワーク
３００  サーバー
３１０  メモリ部
３２０  演算部
３３０  制御部
４００  被管理者の自宅
５００  警察署
６００  消防署
【図１】
0006435137.tif 000002
【図２】
0006435137.tif 000003
【図３】
0006435137.tif 000004
【図４】
0006435137.tif 000005